【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
イメージデータを入力する入力手段と、
前記入力手段により入力されたイメージデータを複数のオブジェクトに分割するオブジェクト分割手段と、
前記オブジェクト分割手段により得られた各オブジェクトへメタデータを付与するメタデータ付与手段と、
メタデータ付与手段により付与されたオブジェクトからメタデータの編集対象となる第１のオブジェクトと第２のオブジェクトとを選択する選択手段と、
前記選択手段で選択された前記第１のオブジェクトと第２のオブジェクトそれぞれのメタデータの属性を解析するメタデータ解析手段と、
前記メタデータ解析手段により解析された前記第１のオブジェクトの属性と前記第２のオブジェクトの属性により、前記第１のオブジェクトのメタデータと前記第２のオブジェクトのメタデータの更新手順を決定する決定手段と、
前記決定手段により決定した更新手順で前記第１のオブジェクトのメタデータと前記第２のオブジェクトのメタデータとの少なくともいずれかを更新する更新手段とを備えることを特徴とする画像処理装置。
【請求項２】
前記選択手段により選択された前記第１のオブジェクトと第２のオブジェクトとを関連付けるオブジェクト関連付け手段を更に有することを特徴とする請求項１に記載の画像処理装置。
【請求項３】
前記オブジェクト関連付け手段は、前記第１のオブジェクトを前記第２のオブジェクトにドラッグアンドドロップする手段であることを特徴とする請求項２に記載の画像処理装置。
【請求項４】
前記オブジェクト分割手段は、前記イメージデータを、文字、写真、グラフィック（図面、線画、表）、背景の属性に分割することを特徴とする請求項１に記載の画像処理装置。
【請求項５】
前記メタデータ付与手段は、前記オブジェクト分割手段により、分割された各々のオブジェクトに対して、オブジェクトのエリアＩＤ、オブジェクトの属性、オブジェクトの幅、オブジェクトの高さ、オブジェクトのジョブ種、ユーザー情報、場所、時間、キャプションを示すメタデータを付与することを特徴とする請求項１に記載の画像処理装置。
【請求項６】
前記キャプションは、オブジェクトの属性が写真、グラフィックであるオブジェクトの場合は、該オブジェクトの周囲で最も近くに存在するオブジェクトの文字認識結果となり、オブジェクトの属性が文字であるオブジェクトの場合は、該オブジェクトの文字認識結果となることを特徴とする請求項５に記載の画像処理装置。
【請求項７】
前記メタデータ解析手段は、前記第１のオブジェクトと第２のオブジェクトのメタデータを解析し、前記メタデータ付与手段により付与されたメタデータの内、対象となるメタデータの情報を出力する手段であることを特徴とする請求項１に記載の画像処理装置。
【請求項８】
前記更新手段は、前記決定手段により決定した更新手順で、前記第１のオブジェクトに対し、または第２のオブジェクトに対し、または第１、第２のオブジェクトを共に、そのメタデータを更新することを特徴とする請求項１に記載の画像処理装置。
【請求項９】
前記決定手段は、
前記第１のオブジェクトの属性または前記第２のオブジェクトの属性のいずれか一方が文字であり、他方が写真、またはグラフィック（図面、線画、表）である場合、属性が文字であるオブジェクトのメタデータを、属性が写真、またはグラフィック（図面、線画、表）であるオブジェクトのメタデータへ追加し、
前記第１のオブジェクトの属性および前記第２のオブジェクトの属性が文字である場合、前記第１のオブジェクトと前記第２のオブジェクトのメタデータの文字数の大小比較を行い、該大小比較の結果、少ない文字数を有するオブジェクトに、多い文字数を有するオブジェクトのメタデータを追加し、
前記第１のオブジェクトの属性および前記第２のオブジェクトの属性が写真、またはグラフィック（図面、線画、表）である場合、前記第１のオブジェクトのリンク情報を示すアドレスを前記第２のオブジェクトのメタデータへ追加するように、
前記第１のオブジェクトのメタデータと前記第２のオブジェクトのメタデータの更新手順を決定することを特徴とする請求項１に記載の画像処理装置。
【請求項１０】
前記決定手段は、
前記第１のオブジェクトの属性および前記第２のオブジェクトの属性が写真、またはグラフィック（図面、線画、表）である場合、
前記第１のオブジェクトのユーザー情報と、前記第２のオブジェクトのユーザー情報が同じである場合、前記第１のオブジェクトのリンク情報を示すアドレスを前記第２のオブジェクトのメタデータへ追加し、
前記第１のオブジェクトのユーザー情報と、前記第２のオブジェクトのユーザー情報が異なる場合、前記第１のオブジェクトのメタデータを前記第２のオブジェクトのメタデータへ追加するように前記第１のオブジェクトのメタデータと前記第２のオブジェクトのメタデータの更新手順を決定することを特徴とする請求項１に記載の画像処理装置。
【請求項１１】
画像処理装置により実行される画像処理方法であって、
イメージデータを入力する入力ステップと、
前記入力ステップにて入力されたイメージデータを複数のオブジェクトに分割するオブジェクト分割ステップと、
前記オブジェクト分割ステップにより得られた各オブジェクトへメタデータを付与するメタデータ付与ステップと、
前記メタデータ付与ステップにてメタデータが付与されたオブジェクトからメタデータの編集対象となる第１のオブジェクトと第２のオブジェクトとを選択する選択ステップと、
前記選択ステップで選択された前記第１のオブジェクトと第２のオブジェクトそれぞれのメタデータの属性を解析するメタデータ解析ステップと、
前記メタデータ解析ステップにより解析された前記第１のオブジェクトの属性と前記第２のオブジェクトの属性により、前記第１のオブジェクトのメタデータと前記第２のオブジェクトのメタデータの更新手順を決定する決定ステップと、
前記決定ステップにより決定した更新手順で前記第１のオブジェクトのメタデータと前記第２のオブジェクトのメタデータとの少なくともいずれかを更新する更新ステップとを
含むことを特徴とする画像処理方法。
【請求項１２】
請求項１１に記載の方法をコンピュータに実行させるためのプログラム。
【請求項１３】
請求項１２に記載のプログラムを記憶させたコンピュータ読み取り可能な記憶媒体。
【手続補正２】
【補正対象書類名】明細書
【補正対象項目名】００１１
【補正方法】変更
【補正の内容】
【００１１】
上記課題を解決するために本発明の画像処理装置は、イメージデータを入力する入力手段と、前記入力手段により入力されたイメージデータを複数のオブジェクトに分割するオブジェクト分割手段と、前記オブジェクト分割手段により得られた各オブジェクトへメタデータを付与するメタデータ付与手段と、メタデータ付与手段により付与されたオブジェクトからメタデータの編集対象となる第１のオブジェクトと第２のオブジェクトとを選択する選択手段と、前記選択手段で選択された前記第１のオブジェクトと第２のオブジェクトそれぞれのメタデータの属性を解析するメタデータ解析手段と、前記メタデータ解析手段により解析された前記第１のオブジェクトの属性と前記第２のオブジェクトの属性により、前記第１のオブジェクトのメタデータと前記第２のオブジェクトのメタデータの更新手順を決定する決定手段と、前記決定手段により決定した更新手順で前記第１のオブジェクトのメタデータと前記第２のオブジェクトのメタデータとの少なくともいずれかを更新する更新手段とを備えることを特徴とする。